(57)【要約】      （修正有）【課題】書見台を折りたたむことが可能で、軽量かつ堅牢にして、膝の上に載せたり壁に吊るしたりすることも可能で、食事をしながら資料を載せて思索する等、使用する場所にこだわらず、多様な用途に使用可能である折りたたみ式書見台を提供する。【解決手段】書見台は、台座部１ａ・１ｂと脚部２ａ・２ｂ及び中央連結枠部３と見開き支持部４を針金で形成し、各骨組みの連結部にあたる針金をコイル状に捲回してなる連結筒で包み込むことで、全体を構成し、この段階で、堅牢にするため、焼入れ処理する。膝の上に載せる際は、中央連結枠部３を引き伸ばして前方テーブルの端部に掛ける。【選択図】図１
0003143381.tif 000002
【実用新案登録請求の範囲】
【請求項１】
本体が針金で形成された骨組みだけからなり．各骨組みは、書物を載置する左右一対の枠状台座部、該台座部の外側にそれぞれ連結された左右一対の脚部、両台座部の中央でこれらを連結する逆Ｕ字状の連結枠部、該連結枠部の前面に同様に設置されたＷ字状の見開き支持部で構成されており、各連結部の針金はコイル状に捲回してなる連結筒で包み込まれていて、折りたたむことは勿論、膝の上に載せたり壁に掛けたりして利用することを可能とする書見台。
【請求項２】
各部が連結された段階で、全体を焼入れ処理することを特徴とする、請求項１記載の書見台。
【請求項３】
本体中央部の連結枠部は、両台座部を折りたたみ自在に連結するとともに、書物の背表紙が両台座部間の連結に侵入して、直接本体の載置されたテーブルに着くことで、書物の重量が過度に本体に掛からないようにしたことを特徴とする、請求項１又は２記載の書見台。
【請求項４】
該連結枠部は引き伸ばせて、これを前方テーブルの端部に掛けることで、本書見台を膝の上に載せて安定させ、資料を見やすくすることが可能であることを特徴とする、請求頃１〜３のいずれかに記載の書見台。
【請求項５】
該脚部は、三角形の形状をなし、本所見台を安定して支持するということを特徴とする、請求項１〜４のいずれかに記載の書見台。
【考案の詳細な説明】
【技術分野】
【０００１】  本考案は、折りたたみ式で、軽量である書見台に関するものである。
【背景技術】
【０００２】  これまでに開示された書見台の考案は多数あるが、折りたたみ式のものは、次の３点である。そしてこれらも、折りたたみの方式が一面的で、考案の効果は小さい。また、構造が複雑で重量が大きい。
【特許文献１】特許公開２００５−２３０５１３
【特許文献２】特許公開平１１−１６９２３６
【特許部穏健３】
登録実用新案第３１１２１２６
【考案の開示】
【考案が解決しようとする課題】
【０００３】  書見台は、特定の場所に固定されることなく、適宜移動可能であることを要するので、かさばらず、軽量でなければならない。また、多様な利用が要求されるので、両手を開放することは勿論、膝の上に乗せたり、壁に掛けたりして使用することを可能とする方が望ましい。従来の書見台は、機能が高まるほど、重量が過大になりがちだった。そして、パソコンの入力時や料理の作業等の際、本体を載置することに関して不便であった。本考案は、以上のような課題を解決し、軽量で折りたためる書見台の提供を目的とする。
【課題を解決するための手段】
【０００４】  請求項１に記載のように、本考案の書見台は、板状の部品をいっさい用いず、針金の骨組みだけで構成されており、該骨組みは、書物を載置する左右一対の台座部、該台座部の外側にそれぞれ連結された左右一対の脚部、両台座部の中央に設置された逆Ｕ字状の連結枠部、該連結枠部の前面に同様に設置されたＷ字状の見開き支持部で構成されている。【０００５】請求項２に記載のように、本書見台は針金だけで構成されているので、すべての部品が連結された段階で堅牢にすべく焼入れ処理する。【０００６】請求項３に記載のように、本体中央の該連結枠部は、両台座部を折りたたみ自在に連結するとともに、書物の背表紙が両台座部間の連結枠に適宜進入可能であるように形成する。【０００７】  請求項４に記載のように、本書見台が安定して膝の上に載るように、該連結枠部を引き伸ばして、前方テーブルの端部に掛けられるように形成する。【０００８】  また、壁に掛ける際には、該台座部上辺に設けられた壁掛け部を壁に設置されたフック等に掛けて、本書見台を吊るすことを可能とし、この際に書物等が落下しないように、該脚部を調整して、本体を傾かせることを可能とするように形成する。【０００９】請求項５に記載のように、脚部の形態は、本体が堅牢で、かつ安定して書物を支持することを可能とするように、ほぼ直角三角形をなし、本書見台を折りたたんだ際に、本脚部が該台座部と適宜重なるように形成する。【００１０】そして、請求項１に記載のように、素材は、ほとんどが針金であり、折りたたむ等変形できるように、各部門の連結部に当たる針金は、コイル状に捲回してなる連結筒で包み込む。また、連結筒内部の針金は、遊動せず適宜擦動するように、他の針金等を追加挿入したりする。
【考案の効果】
【００１１】  請求項１によれば、本考案の書見台は、書物を支えるのに要する最小限の骨組みだけで構成されており、しかも素材はほとんどが針金であるので、軽量であって、生産も簡単である。【００１２】請求項２によれば、本書見台は焼入れ処理されているので、堅牢である。【００１３】そして、請求項１に記載されているように、各連結部を構成する針金は、コイル状に捲回してなる連結筒で包み込まれているので、折りたたむことは勿論、膝の上に載せたり、壁に設けたフック等に掛けて吊るすことも可能で、幅広く利用できる。【００１４】  また、美的に優れ、各種調度品と和合して違和感がないため、パンフレット等を載せた本書見台を食卓上に載置して、食事しながら思索するにも都合がよい。このように、使用する場所にこだわらないだけでなく、多様に利用することが可能である。
【考案を実施するための最良の形態】
【００１５】  以下、添付図面に従って一実施例を説明する。図１に示すように、本書見台は左右一対の枠状台座部１ａ・１ｂ、該台座部の外側にそれぞれ連結された脚部２ａ・２ｂ、両台座部の中央に連結された逆Ｕ字状の連結枠部３、該連結枠部の前面に同様に設置されたＷ字状の見開き支持部４で構成し、各部が適宜機能して、全体の均衡が保たれるように形成する。【００１６】  図２は、本書見台の折りたたみ方式を示した図である。左右一対の脚部２ａ・２ｂは、それぞれ左右一対の該台座部１ａ・１ｂに適宜重なるように、内側へ折りたたまれ、この折りたたまれた左右の物体はさらに重なるように内側へ折りたたまれる。【００１７】  図３は、本考案の要点となる針金の構造を示しており、該連結筒の内部を理解することが可能である。【００１８】  図４は、各連結筒の内部を示す詳細図と、頁押さえ部の構造を示す詳細図である。各骨組を構成する針金は、該連結筒の内部で遊動せず、適宜擦動するように追加の針金を挿入したりしてある。頁押さえ部５は、下側連結筒８ａ・８ｂのコイル状針金を途中で捻じ曲げて形成してあるので、バネの原理で頁を押さえることが可能である。【００１９】  図５は、パソコン入力の状況を示した図であり、本書見台は膝の上に載っている。膝は前方が下がっているので、本体の中央連結枠部３を引き伸ばしてキーボードの載置されたテーブルの端部に掛けることで、本書見台が安定して支持され、見やすい形態となっている。【００２０】  ３は中央連結枠部である。これは書物を載置した一対の台座１ａ・１ｂを連結するという役目のほかに、書物の背表紙が両台座部間の連結枠に侵入して、本体を載置したテーブルに届き、書物の重量が過度に書見台本体に掛からないという役目を担っている。【００２１】  ９ａ・９ｂは壁掛け部であり、これは、該台座部上辺の針金を折り曲げて形成してある。解説書を見ながら料理する際等に、本書見台を壁に掛ければ、解説書が汚れないだけでなく、作業のスペースに余裕が生じる。この際には、書物が滑り落ちたりしないように、該脚部２ａ・２ｂを調整して該台座部１ａ・１ｂを傾かせる。【００２２】  脚部２ａ・２ｂの下部で載置台に触れる部分や、見開き支持部４及び頁押さえ部５は滑り止め処理することが望ましい。
【産業上の利用可能性】
【００２３】  本考案の書見台は、軽量で、折りたたむことは勿論、いろいろな形状に変形可能であるので、膝の上に載せてパソコン入力をしたり、壁に掛けて資料を見ながら料理するなど、使用の場所や用途に制限されないで利用できる。
【図面の簡単な説明】
【００２４】
【図１】  本書見台の斜視図である。
【図２】  本書見台の折りたたみ方式図である。
【図３】  本書見台の骨組みとなる針金の構造図である。
【図４】  コイル状連結筒の詳細図と頁押さえ部の構造を示す詳細図である。
【図５】  背表紙が本書見台中央部の連結枠に進入した図である。
【図６】  パソコン入力時の形態図である。
【図７】  本書見台が壁に吊るされた図である。
【符号の説明】
【００２５】  １ａ・１ｂ  書物を載置する台座部
２ａ・２ｂ  脚部
３  中央連結枠部
４  見開き支持部
５  頁押さえ部
６ａ・６ｂ  外側連結筒
７ａ・７ｂ  内側連結筒
８ａ・８ｂ  下側連結筒
９ａ・９ｂ  壁掛け部
１０  膝
１１  壁板の継ぎ目
【図１】
0003143381.tif 000003
【図２】
0003143381.tif 000004
【図３】
0003143381.tif 000005
【図４】
0003143381.tif 000006
【図５】
0003143381.tif 000007
【図６】
0003143381.tif 000008
【図７】
0003143381.tif 000009